(57)【要約】【課題】  測温部位に温度計測部を安定して押し当てることができ、かつ、測定中に保持しやすく、かつ、非測定時において衛生状態を維持できる女性体温計を提供する。【解決手段】  女性体温計であって、内部に温度計測部が収納された金属キャップ１２１と、先端に金属キャップ１２１が取り付けられており、上面にユーザインタフェース１１８が配された本体部１１０から延設された延設部１２０と、を備え、延設部１２０は、本体部１１０から略直線状に延設されており、延設部１２０の下面が、延設部１２０の先端から、延設部１２０と本体部１１０との接続位置の方向に向かって、湾曲した形状を有していることを特徴とする。【選択図】  図１
2012021888.tif 000002
【特許請求の範囲】
【請求項１】
女性体温計であって、
内部に温度計測部が収納された金属キャップと、
先端に前記金属キャップが取り付けられており、体温測定の際の操作に用いられるユーザインタフェースが上面に配された本体部から延設された延設部と、を備え、
前記延設部は、
前記本体部から略直線状に延設されており、前記本体部の上面とは反対側に位置する前記延設部の下面が、前記延設部の先端から、前記延設部と前記本体部との接続位置の方向に向かって、湾曲した形状を有していることを特徴とする女性体温計。
【請求項２】
前記本体部の上面と、前記延設部が前記本体部から延設された方向とは、略平行であることを特徴とする請求項１に記載の女性体温計。
【請求項３】
前記本体部の上面と反対側に位置する前記本体部の下面が、所定の平面に接触するように、前記女性体温計を該所定の平面上に載置した場合に、前記延設部の延設方向が該平面と略平行な状態を維持するように、前記女性体温計の重心は、前記本体部の内部に位置していることを特徴とする請求項２に記載の女性体温計。
【請求項４】
前記湾曲した形状は、前記金属キャップが被検者の舌下に押し当てられた状態で、前記延設部と前記本体部との接続位置が、該被検者の口の正面位置にくるように、形成されていることを特徴とする請求項３に記載の女性体温計。
【発明の詳細な説明】
【技術分野】
【０００１】
本発明は、女性体温計に関するものである。
【背景技術】
【０００２】
女性の基礎体温は高温相と低温相とが周期的に変化する２相性を有しており、女性体温計はその基礎体温を測定するために利用される。
【０００３】
一般に、基礎体温の測定は、体温計の先端部を口腔内の測温部位である舌下（舌の裏側）に押し当てることにより行う。通常、測定には数十秒程度要し、被検者は、その間、体温計の先端部が舌下からずれることなく、体温計を保持しておく必要がある。このため、女性体温計は、基礎体温の測定に適した形状を有している。図７及び図８を参照しながら具体例を挙げて説明する。
【０００４】
図７は、一般的な女性体温計の外観構成を示す図であり、（ａ）は正面図を、（ｂ）は側面図をそれぞれ示している。
【０００５】
図７（ａ）に示すように、女性体温計７００は、上面にユーザインタフェース７０５（表示部７０２、各種操作ボタン７０３及び電源ボタン７０４）が配された本体部７０１と、該本体部７０１から延設された延設部７１０とから構成され、温度計測部は、延設部７１０の先端部に配された金属キャップ７１１内に収納されている。
【０００６】
そして、図７（ｂ）に示すように、当該延設部７１０は、本体部７０１に対して所定の角度で接続されており、女性体温計７００は全体として屈曲した形状を有している。具体的には、本体部７０１の中心軸７２１と、延設部７１０の中心軸７２２とが約１５度の角度をなすように、延設部７１０が本体部７０１に接続されている。
【０００７】
図８は、このような形状を有する女性体温計７００の金属キャップ７１１を口腔内の測温部位である舌下に押し当てた様子を示した図である。図８に示すように、上唇と下唇とにより本体部７０１が挟まれた位置８０１に対して、測温部位である舌下（舌の裏側）の下方に位置しているため、延設部７１０が位置８０１から斜め下方向に延びることで、金属キャップ７１１は舌下に押し当てられることとなる。
【０００８】
そして、被検者は、金属キャップ７１１を舌下に押し当てた状態で、本体部７０１の下面（ユーザインタフェース７０５が配された面とは反対側の面）を下方から支持することで、女性体温計７００を保持する。このとき、本体部７０１に対する支持位置は、保持しやすさの観点から、口の正面位置（位置８０１と同程度の高さ）であることが望ましい。
【０００９】
ここで、図７にて説明したように、女性体温計７００は延設部７１０が本体部７０１に対して約１５度の角度をなすように接続されているため、舌下に金属キャップ７１１を安定して押し当てることができるとともに、口の正面位置の高さで本体部７０１の下面を支持することができる。このように、女性体温計７００は、図７に示すような形状を有していることにより、基礎体温測定時に被検者が保持しやすくなっている。
【先行技術文献】
【特許文献】
【００１０】
【特許文献１】特開２００７−６８８３９号公報
【発明の概要】
【発明が解決しようとする課題】
【００１１】
しかしながら、従来の女性体温計７００は、全体として屈曲した形状を有しているため、非測定時に本体部７０１を平面上に載置した場合、金属キャップ７１１が、当該平面に接触することとなる（図９の点線円内参照）。
【００１２】
上述したように、金属キャップ７１１は、基礎体温測定時に舌下に押し当てられる部分であることから、平面に載置した際に、当該平面に接触することは衛生上好ましくない。これに対して、延設部７１０を本体部７０１から直線状に延設させることで、平面載置時に金属キャップ７１１が接触することを回避させることが可能となるが、その場合、基礎体温測定時に女性体温計７００を支持する際の支持位置が高くなり、保持しにくくなってしまう。
【００１３】
本発明は上記課題に鑑みてなされたものであり、被検者の測温部位に温度計測部を安定して押し当てることができ、かつ、測定中に被検者が保持し易く、かつ、非測定時においても衛生状態を維持できる女性体温計を提供することを目的とする。
【課題を解決するための手段】
【００１４】
上記の目的を達成するために、本発明に係る女性体温計は以下のような構成を備える。即ち、
女性体温計であって、
内部に温度計測部が収納された金属キャップと、
先端に前記金属キャップが取り付けられており、体温測定の際の操作に用いられるユーザインタフェースが上面に配された本体部から延設された延設部と、を備え、
前記延設部は、
前記本体部から略直線状に延設されており、前記本体部の上面とは反対側に位置する前記延設部の下面が、前記延設部の先端から、前記延設部と前記本体部との接続位置の方向に向かって、湾曲した形状を有していることを特徴とする。
【発明の効果】
【００１５】
本発明によれば、被検者の測温部位に温度計測部を安定して押し当てることができ、かつ、測定中に被検者が保持し易く、かつ、非測定時においても衛生状態を維持できる女性体温計を提供することが可能となる。
【図面の簡単な説明】
【００１６】
【図１】本発明の一実施形態に係る女性体温計の外観構成を示す図である。
【図２】延設部の下面の形状と、延設部と本体部との接続位置との関係を示す図である。
【図３】延設部の下面の形状と、測定時の被検者の支持位置との関係を示す図である。
【図４】本発明の一実施形態に係る女性体温計を用いて基礎体温を測定する様子を示す図である。
【図５】本発明の一実施形態に係る女性体温計を平面上に載置した様子を示す図である。
【図６Ａ】本発明の一実施形態に係る女性体温計のシステム構成を示す図である。
【図６Ｂ】本発明の一実施形態に係る女性体温計の表示部の表示内容の一例を示す図である。
【図７】従来の女性体温計の外観構成を示す図である。
【図８】従来の女性体温計を用いて基礎体温を測定する様子を示す図である。
【図９】従来の女性体温計を平面上に載置した様子を示す図である。
【発明を実施するための形態】
【００１７】
以下、本発明の各実施形態について図面を参照しながら説明する。
【００１８】
［第１の実施形態］
１．女性体温計の外観構成
はじめに、本発明の一実施形態に係る女性体温計１００の外観構成について図１を用いて説明する。図１において（ａ）は女性体温計１００の正面図を、（ｂ）は女性体温計１００の側面図をそれぞれ示している。
【００１９】
図１（ａ）において、１１０は耐衝撃性、耐薬品性を備えた合成樹脂によって形成された本体部であり、内部には、後述する演算制御部や、ブザー部、電池（電源部）等が収納されている。また、１２０は延設部であり、本体部１１０から延設されている。このように、女性体温計１００は、本体部１１０と延設部１２０とに大別することができる。
【００２０】
本体部１１０において、１１１は表示部であり、数字・文字・図形（キャラクター、アイコン等）を表示可能な、ドットマトリックス液晶部等により構成されている。なお、表示部１１１に表示される表示内容の詳細は後述する。
【００２１】
１１２は操作部であり、表示部１１１上に表示された表示内容に基づいて、女性体温計１００に各種指示を入力する際に用いられる（以下、表示部１１１と操作部１１２とを総称して“ユーザインタフェース”１１８と称す）。なお、操作部１１２は、表示部１１１上に表示されたメニュー項目等の選択対象が選択状態にあることを示す識別子（カーソル）を移動させるための指示（移動指示）を与える左ボタン１１３、右ボタン１１４を備える。また、該カーソルの移動先の選択対象について、設定値を変更したりするための指示（変更指示）を与える上ボタン１１５、下ボタン１１６を備える。更に、カーソルの移動先の選択対象（またはカーソルの移動先の選択対象について、変更された設定値）を決定するための決定ボタン１１７を備える。なお、決定ボタン１１７は、女性体温計１００の電源ＯＮ／ＯＦＦスイッチとしての役割も担っている（決定ボタン１１７を長押しすることにより、電源がＯＮ状態またはＯＦＦ状態となる）。
【００２２】
さらに、図示しないが、女性体温計１００には、パーソナルコンピュータ（ＰＣ）などをホストとして接続するための外部通信部（コネクタ等を含む）も備えられている。また、定時測定を促すための目覚まし機能も備えられており、別途設定された時刻になると目覚まし音を鳴らしてユーザに体温測定を促すよう構成されている。
【００２３】
一方、延設部１２０において、１２１は金属キャップである。金属キャップ１２１は、延設部１２０の先端に固定されており、内部には、後述するサーミスタ等の温度計測部（後述）が接着剤により固定して収納されている（つまり、金属キャップ１２１は、サーミスタに対して体温（温度）を伝熱させるとともに、サーミスタを外部の衝撃等から保護する役割を担っている）。
【００２４】
図１（ｂ）に示すように、金属キャップ１２１が先端に固定された延設部１２０は、本体部１１０に対して、略直線状に延設されている。具体的には、本体部１１０の中心軸１３１と、延設部１２０の中心軸１３２とにより形成される角度は、５°〜８°が好ましく、例えば、６．６°となっており、延設部１２０の延設方向は本体部１１０に対して略平行な方向となっている。また、本体部１１０の厚みは、１０ｍｍ〜２５ｍｍが好ましく、例えば、１８ｍｍとなっている。
【００２５】
一方で、延設部１２０の下面は、延設部の先端から、本体部１１０の下面（ユーザインタフェース１１８が配された上面とは反対側に位置する面）との接続位置に向かって湾曲しており（矢印１４１参照）、このときの曲率半径は、３０ｍｍ〜１５０ｍｍが好ましく、更には３８ｍｍ〜１３０．５ｍｍが好ましい。また、湾曲面は曲率半径の異なる複数の湾曲面から形成されていてもよく、連続して滑らかな曲線により形成されていることが好ましい。
【００２６】
具体的には、延設部１２０の先端の金属キャップ１２１が、測温部位である舌下に押し当てられた状態で、延設部１２０の下面と本体部１１０の下面との接続位置が、被検者の口の正面位置にくるように、延設部１２０の下面の湾曲面が延設部１２０の先端から接続位置にかけて、曲率半径が１３０．５ｍｍの湾曲面と３８ｍｍの湾曲面から形成されている。
【００２７】
このような形状を有することにより、本実施形態に係る女性体温計１００は、測温部位である舌下に金属キャップ１２１を安定して押し当てることができ、かつ、測定中に被検者が保持しやすく、かつ、非測定時においても衛生状態を維持できるという効果がある。以下、女性体温計１００の当該特徴的な形状と当該効果との関係について詳説する。
【００２８】
＜２．延設部の下面の形状と支持位置との関係＞
はじめに延設部１２０の下面の形状と支持位置との関係について図２〜図４を用いて説明する。図２は、延設部における２種類の下面の形状とそれぞれの延設部の本体部に対する接続位置との関係を模式的に示した図である。
【００２９】
図２において、２０１は、本実施形態に係る女性体温計１００の延設部１２０の下面形状を示している。一方、２０２は、比較のため、延設部の下面が直線形状を有していた場合を示している。
【００３０】
図２に示すように、延設部１２０の先端（金属キャップ１２１）が被検者の舌下に斜めに押し当てられると、形状２０１の場合、本体部１１０との接続位置（本体部１１０の下面との接続位置）が、２１１に示す位置となる。一方、形状２０２の場合、本体部１１０との接続位置（本体部１１０の下面との接続位置）は、２２１に示す位置となる。
【００３１】
つまり、延設部１２０の下面形状によって、延設部１２０と本体部１１０との下面の接続位置は、矢印に示す距離Ｌだけ異なってくる。
【００３２】
図３は、延設部１２０と本体部１１０との下面の接続位置と基礎体温測定時のユーザの支持位置との関係を示す図である。図３（ａ）、（ｂ）に示すように、通常、被検者は、測定時に女性体温計１００を支持するにあたり、延設部１２０と本体部１１０との下面の接続位置近傍を、親指と小指と薬指とによって下方から支持する。そして、本体部１１０の中央位置近傍を中指で支持し、本体部１１０の後端位置近傍を人差し指で支持する。つまり、被検者による測定時の高さ方向の支持位置は、延設部１２０と本体部１１０との下面の接続位置に概ね依存する。
【００３３】
このため、図３（ｂ）に示すように延設部１２０の下面形状が形状２０１であった場合、被検者による測定時の支持位置は、一点鎖線３０１に示す高さとなる。つまり、口の正面位置の高さで本体部１１０の下面を支持することができる。
【００３４】
一方、図３（ａ）に示すように延設部の下面形状が形状２０２であった場合、被検者による測定時の支持位置は、一点鎖線３０２に示す高さとなる。つまり、口の正面位置よりも高い位置となる。
【００３５】
図３（ａ）と図３（ｂ）との比較から明らかなように、延設部１２０の下面形状を、従来の女性体温計の延設部の下面形状と概ね同じ形状とすることで、従来の女性体温計と同様に、測温部位に温度計測部を安定して押し当てることができ、かつ、測定中の保持しやすさを維持することができる。
【００３６】
図４は、本実施形態に係る女性体温計１００の先端を測温部位である舌下に押し当てた様子を示す図である。図４に示すように、上唇と下唇とにより本体部１１０が挟まれた位置に対して、測定部位である舌下は低い位置にあるが、延設部１２０が舌下に向かって斜めに延びるため、金属キャップ１２１は舌下に安定して押し当てられることとなる。
【００３７】
また、延設部１２０の下面が湾曲面を有しているため、本体部１１０の下面を支持する際の支持位置（親指と小指と薬指とで支持している位置）は、口の正面位置となる。
【００３８】
つまり、延設部１２０の下面を湾曲した形状とすることで、舌下に金属キャップ１２１を安定して押し当てることができるとともに、口の正面位置で本体部１１０の下面を支持することが可能となる。
【００３９】
＜３．平面上に載置した際の平面と金属キャップとの位置関係＞
次に、女性体温計１００を本体部１１０の下面が接触するように平面上に載置した際の、平面と金属キャップ１２１との位置関係について説明する。図５は、女性体温計１００を平面上に載置した様子を示す図である。上述したように、延設部１２０は、本体部１１０から略直線状に延設されている。このため、本体部１１０の下面が平面に接触するように女性体温計１００を平面上に載置した状態で、延設部１２０は、当該平面と略平行な位置関係となり、延設部１２０の先端は、平面から所定の距離だけ離れて位置することとなる。つまり、金属キャップ１２１が平面に当接することはなく、非測定時においても衛生状態を維持することができる。
【００４０】
なお、本実施形態に係る女性体温計１００は、平面上に載置した場合に、延設部１２０が当該平面と略平行な位置関係を維持できるように、本体部１１０の内部に重心がくるように（つまり、バランスがくずれて金属キャップ１２１が平面に接触することがないように）設計されているものとする。
【００４１】
＜４．女性体温計のシステム構成＞
次に、女性体温計１００のシステム構成について図６Ａを参照しながら説明する。図６Ａは、女性体温計１００のシステム構成を示す図である。
【００４２】
図６Ａに示すように、女性体温計１００は、温度を計測しそれをデジタル値として出力する温度計測部６１０と、計測された温度から予測温度を演算すると共に女性体温計１００全体を制御する演算制御部６２０と、測定結果を表示する、バックライト用のＬＥＤ６３１を備えた表示部６３０（図１の表示部１１１に対応する）と、目覚まし音等の音声を出力するブザー部６４０と、ユーザからの操作を受け付ける操作部６５０（図１の操作部１１２に対応すると、各部に電源を供給する電源部６６０とを備える。
【００４３】
温度計測部６１０は、並列に接続された感温部に設置されたサーミスタ及びコンデンサと、測温用ＣＲ発振回路とから構成され、サーミスタの温度に対応するカウンタ６２６のカウント量の変化に従い、温度をデジタル量として出力する。なお、温度計測部６１０の構成は一例であって、これに限定されるものではない。
【００４４】
演算制御部６２０は、１日１回の測定から得られた測定値（基礎体温データ）及び操作部６５０によって入力された各種入力値を日付及び時刻と対応付けて所定日数分（例えば２４０日分）記憶するとともに、月経周期ごと（生理初日から次の生理初日の前日まで）の中間データ等を一時記憶するＲＡＭ６２３と、体温測定処理に必要なパラメータや予測式プログラム等を格納したＲＯＭ（コンピュータ読取可能な記憶媒体）６２２と、時刻及び日付を管理するタイマ６２４とを備える。更に、表示部６３０を制御するための表示制御部６２７と、測温用ＣＲ発振回路の発振信号をカウントするカウンタ６２６と、ＲＯＭ６２２の予測式プログラムに従い予測演算等を行う演算処理部６２１とを備える。更に、カウンタ６２６や演算処理部６２１、表示制御部６２７を制御する制御回路６２５を備える。なお、測定値などを記憶する一時記憶領域には、不揮発性であって書き換え可能なメモリ等を用いるようにしてもよい。
【００４５】
操作部６５０には、上述した左ボタン１１３、右ボタン１１４、上ボタン１１５、下ボタン１１６、決定ボタン１１７などが含まれ、ユーザからの各種指示を受け付ける。
【００４６】
＜５．表示部の表示内容＞
次に、女性体温計１００の本体部１１０上に配された表示部１１１に表示される表示内容について簡単に説明する。図６Ｂは、女性体温計１００の本体部１１０上に配された表示部１１１に表示される表示内容の一例を示す図である。
【００４７】
図６Ｂにおいて、６３２は女性体温計１００の各種機能を選択するための選択機能表示領域である。選択機能表示領域６３２に表示された各絵文字（アイコン）は、左から順に、メモ入力機能、次回生理日表示機能、次回排卵日表示機能、選択機能、目覚まし時刻設定機能、音量設定機能、時刻設定機能を選択するためのアイコンである。
【００４８】
６３３はメモ入力機能が選択された際に、入力されるメモ項目を選択するための選択メモ表示領域である。選択メモ表示領域６３３に表示された各絵文字（アイコン）は、左から順に、生理日、発熱、不正出血を示すアイコンであり、矢印に沿って更に、生理痛、性交、飲薬、おりもの等を示すアイコンが表示可能である。
【００４９】
６３４は測定データ表示領域であり、測定された基礎体温データを表示したり、過去の所定日数分の基礎体温データをトレンドグラフとして表示したりする。
【００５０】
６３５は設定情報表示領域であり、目覚まし時刻設定機能や音量設定機能等を用いてユーザが設定した設定内容を表示する。
【００５１】
６３６は現在日時表示領域であり、現在の日付（年月日）または時刻（時分）を表示する。６３７は内部状態表示領域であり、女性体温計１００の本体部１１０の内部状態を示す情報（例えば、電池の残量等）を表示する。
【００５２】
６３８は状態表示領域であり、次回排卵日が近づいていること、次回生理日が近づいていること、ならびに、低温相期であること、をそれぞれ示すマークが表示される。
【００５３】
なお、女性体温計１００の本体部１１０の各種機能（メモ入力機能、次回生理日表示機能、次回排卵日表示機能、選択機能、目覚まし時刻設定機能、音量設定機能、時刻設定機能）の詳細については、例えば、上記特許文献１に既に開示されているため、ここでは説明を省略する。
【００５４】
以上の説明から明らかなように、本実施形態に係る女性体温計１００では、延設部１２０の下面を、本体部１１０の下面との接続位置に向かって湾曲させる構成とした。より具体的には、延設部１２０の先端の金属キャップ１２１が、測温部位である舌下に押し当てられた状態で、延設部１２０の下面と本体部１１０の下面との接続位置が、被検者の口の正面位置にくるように、延設部１２０の下面を湾曲させる形状とした。
【００５５】
更に、延設部１２０を本体部１１０に対して、略直線状に延設させ、本体部１１０の中心軸と延設部１２０の中心軸とが概ね平行となるように構成した。
【００５６】
これにより、測温部位である舌下に金属キャップ１２１を安定して押し当てることができ、かつ、測定中に被検者が保持しやすく、かつ、非測定時においても衛生状態を維持できる女性体温計を提供することが可能となった。
【００５７】
更に、従来の女性体温計の場合、全体として屈曲した形状となっていたため、女性体温計のハウジングを生成するにあたり、複数の部品に分ける必要があったところ、本実施形態によれば、全体として略直線状の形状となっているため、ハウジングを生成する際の部品点数を削減できるようになるという付帯的な効果も得られる。
【符号の説明】
【００５８】
１００・・・女性体温計、１１０・・・本体部、１１１・・・表示部、１１２・・・操作部、１１３・・・左ボタン、１１４・・・右ボタン、１１５・・・上ボタン、１１６・・・下ボタン、１１７・・・決定ボタン、１１８・・・ユーザインタフェース、１２０・・・延設部、１２１・・・金属キャップ
【図１】
2012021888.tif 000003
【図２】
2012021888.tif 000004
【図３】
2012021888.tif 000005
【図４】
2012021888.tif 000006
【図５】
2012021888.tif 000007
【図６Ａ】
2012021888.tif 000008
【図６Ｂ】
2012021888.tif 000009
【図７】
2012021888.tif 000010
【図８】
2012021888.tif 000011
【図９】
2012021888.tif 000012